(57)【特許請求の範囲】
【請求項１】
多重無線アクセスネットワーク通信システムである多重ＲＡＮ通信システム（６００）におけるサービス提供方法であって、前記多重ＲＡＮ通信システム（６００）は、第１ＲＡＮ、第２ＲＡＮ、および遠隔ユニット（６０１）を含み、前記遠隔ユニット（６０１）が前記第１ＲＡＮから第１サービスを受入れている状態から、前記遠隔ユニット（６０１）が前記第２ＲＡＮから第２サービスを受入れる状態に切替えるか否か前記遠隔ユニット（６０１）が判定するために、前記サービス提供方法は、
前記第２ＲＡＮが前記遠隔ユニット（６０１）をページングすることの許可を前記第２ＲＡＮが前記遠隔ユニット（６０１）から得るために、前記第２ＲＡＮがページ要求を前記第１ＲＡＮに送信するステップ（７０３，９０３）と；
前記ページ要求を受取った前記第１ＲＡＮが、ページメッセージを前記遠隔ユニット（６０１）に送信するステップ（７０４，９０４）と；
前記ページメッセージを受取った前記遠隔ユニット（６０１）が、前記第２サービスを受け入れる場合は、ページ応答メッセージを前記第２ＲＡＮに送信するステップ（９０７）と；
前記ページ応答メッセージを受取った前記第２ＲＡＮが、前記遠隔ユニット（６０１）が前記第２サービスを受入れることを許可したこと（９０８）を前記第１ＲＡＮに示す通知する通知メッセージを、前記第１ＲＡＮに送信するステップ（９０９）と
を備える、多重ＲＡＮ通信システムにおけるサービス提供方法において、
前記第１ＲＡＮは、前記第２ＲＡＮにＲＡＮ間信号インターフェイス（Ａｙ）によって直接に接続され、
前記通知メッセージは、前記ＲＡＮ間信号インターフェイス（Ａｙ）を介して、前記第２ＲＡＮから前記第１ＲＡＮに送信されることを特徴とする、多重ＲＡＮ通信システムにおけるサービス提供方法。
【請求項２】
前記サービス提供方法は更に、
前記ページメッセージを受取った前記遠隔ユニット（６０１）が、前記第２サービスを拒否する場合は、前記遠隔ユニット（６０１）が前記第２サービスを拒否することを示す１ｘメッセージを、前記遠隔ユニット（６０１）が前記第１ＲＡＮに送信するステップ（７０５）であって、その結果、前記１ｘメッセージは前記第１ＲＡＮ経由で前記第２ＲＡＮに送信されること
を備え、
前記１ｘメッセージは、前記ＲＡＮ間信号インターフェイス（Ａｙ）を介して、前記第１ＲＡＮから前記第２ＲＡＮに送信される、請求項１記載のサービス提供方法。
【請求項３】
前記第１ＲＡＮと前記第２ＲＡＮは、ＩＰマルチメディアサブシステムネットワークであるＩＭＳネットワーク（６１１）に接続され、前記第１サービスは、前記第１ＲＡＮ経由で前記ＩＭＳネットワーク（６１１）から提供されるＩＭＳサービスであり、
前記遠隔ユニット（６０１）が前記第２ＲＡＮに前記ページ応答メッセージを送信する前に、前記遠隔ユニット（６０１）が前記第１ＲＡＮから前記第２ＲＡＮに切替えることを示すことを前記ＩＭＳネットワーク（６１１）に通知する第１ＳＩＰメッセージを、前記遠隔ユニット（６０１）が前記第１ＲＡＮ経由で前記ＩＭＳネットワークに送信するステップ（９０５）と、
前記第２ＲＡＮが前記ページ応答メッセージを受信した後に、前記遠隔ユニット（６０１）が前記ＩＭＳネットワークへの接続を解除することを前記ＩＭＳネットワークに通知する第２ＳＩＰメッセージを、前記遠隔ユニット（６０１）が前記前記第２ＲＡＮに送信するステップと
のうち少なくとも１つのステップを有する、請求項１記載のサービス提供方法。
【請求項４】
多重無線アクセスネットワーク通信システムである多重ＲＡＮ通信システム（６００）であって、前記多重ＲＡＮ通信システム（６００）は、第１ＲＡＮ、第２ＲＡＮ、および遠隔ユニット（６０１）を含み、前記遠隔ユニット（６０１）が前記第１ＲＡＮから第１サービスを受入れている状態から、前記遠隔ユニット（６０１）が前記第２ＲＡＮから第２サービスを受入れる状態に切替えるか否か前記遠隔ユニット（６０１）が判定するように構成され、
前記第２ＲＡＮが前記遠隔ユニット（６０１）をページングすることの許可を前記第２ＲＡＮが前記遠隔ユニット（６０１）から得るために、前記第２ＲＡＮは、ページ要求を前記第１ＲＡＮに送信するように構成され、
前記ページ要求を受取った前記第１ＲＡＮは、ページメッセージを前記遠隔ユニット（６０１）に送信するように構成され、
前記ページメッセージを受取った前記遠隔ユニット（６０１）は、前記第２サービスを受け入れる場合は、ページ応答メッセージを前記第２ＲＡＮに送信するように構成され、
前記ページ応答メッセージを受取った前記第２ＲＡＮは、前記遠隔ユニット（６０１）が前記第２サービスを受入れることを許可したこと（９０８）を前記第１ＲＡＮに示す通知する通知メッセージを、前記第１ＲＡＮに送信するように構成され、
前記第１ＲＡＮは、前記第２ＲＡＮにＲＡＮ間信号インターフェイス（Ａｙ）によって直接に接続され、
前記通知メッセージは、前記ＲＡＮ間信号インターフェイス（Ａｙ）を介して、前記第２ＲＡＮから前記第１ＲＡＮに送信されることを特徴とする、多重ＲＡＮ通信システム。
【請求項５】
前記ページメッセージを受取った前記遠隔ユニット（６０１）は、前記第２サービスを拒否する場合は、前記遠隔ユニット（６０１）が前記第２サービスを拒否することを示す１ｘメッセージを、前記遠隔ユニット（６０１）が前記第１ＲＡＮに送信し、その結果、前記１ｘメッセージは前記第１ＲＡＮ経由で前記第２ＲＡＮに送信されるように構成され、
前記１ｘメッセージは、前記ＲＡＮ間信号インターフェイス（Ａｙ）を介して、前記第１ＲＡＮから前記第２ＲＡＮに送信されるように構成される、請求項４記載の多重ＲＡＮ通信システム。
【請求項６】
前記第１ＲＡＮと前記第２ＲＡＮは、ＩＰマルチメディアサブシステムネットワークであるＩＭＳネットワーク（６１１）に接続され、前記第１サービスは、前記第１ＲＡＮ経由で前記ＩＭＳネットワーク（６１１）から提供されるＩＭＳサービスであり、
前記遠隔ユニット（６０１）が前記第２ＲＡＮに前記ページ応答メッセージを送信する前に、前記遠隔ユニット（６０１）が前記第１ＲＡＮから前記第２ＲＡＮに切替えることを示すことを前記ＩＭＳネットワーク（６１１）に通知する第１ＳＩＰメッセージを、前記遠隔ユニット（６０１）が前記第１ＲＡＮ経由で前記ＩＭＳネットワークに送信するように構成されることと、
前記第２ＲＡＮが前記ページ応答メッセージを受信した後に、前記遠隔ユニット（６０１）が前記ＩＭＳネットワークへの接続を解除することを前記ＩＭＳネットワークに通知する第２ＳＩＰメッセージを、前記遠隔ユニット（６０１）が前記前記第２ＲＡＮに送信するように構成されることと、
のうち少なくとも１つを更に特徴とする、請求項４記載の多重ＲＡＮ通信システム。
【発明の詳細な説明】
【技術分野】
【０００１】
本発明は、概して、無線通信システムに関し、特に多重ＲＡＮ（無線アクセス・ネットワーク）通信システムにおけるサービスの提供に関する。
【背景技術】
【０００２】
オペレータは、新しい１ｘ−ＨＲＰＤ（高速パケット・データまたは１ＸＥＶ−ＤＯ）技術間ネットワークを展開し始めている。１ｘＲＡＮ（無線アクセス・ネットワーク）は回線サービスを提供し、ＨＲＰＤ  ＲＡＮは、「ハイブリッド」移動局、または１ｘおよびＨＲＰＤエア・インタフェース（すなわち、移動局／アクセス端末（ＭＳ／ＡＴ））の両方をサポートすることができる移動局のような遠隔ユニットにパケット・データ・サービスを提供する。回線サービスは、通常、従来の回線音声サービス、ショート・メッセージ・サービス（ＳＭＳ）等を含み、一方、パケット・データ・サービスは、ＶｏＩＰ（Ｖｏｉｃｅ  ｏｖｅｒ  ＩＰ）、テレビ電話、インスタント・メッセージング、電子メール等のようなインターネット・アプリケーションのためのサポートを含む。
【０００３】
１ｘＲＡＮは、パケット・データ・サービス・サポートも提供することができるが、多くのオペレータは、回線サービスのために排他的に１ｘＲＡＮネットワーク・リソースを確保することを計画している。これらのタイプの１ｘＨＲＰＤ技術間ネットワークにおいては、現在、パケット・データ呼と一緒に動作しているＭＳ／ＡＴを、１ｘ回線音声呼のためのＨＲＰＤ  ＲＡＮを介して、１ｘＲＡＮにより「クロス・ページング」することができる。ＭＳ／ＡＴは、呼を受け入れるかまたは呼を拒否するのかを決定することができる。
【０００４】
図１は、従来技術によるＨＲＰＤシステムにおけるＭＳ／ＡＴへの１ｘページ配信を示す例示としての呼の流れ図１００である。３ＧＰＰ２／Ａ．Ｓ０００８−Ａ  ｖ０．３（Ｖ＆Ｖバージョン）の４．５．３を参照されたい。現在の技術においては、ＭＳ／ＡＴが呼を受け入れた場合には、ＭＳ／ＡＴは、１ｘＲＡＮへのページ応答メッセージにより、ＨＲＰＤ  ＲＡＮを介して受信した１ｘページ要求に肯定応答することにより応答する。呼の流れ図１００は、ＨＲＰＤエア・インタフェースを通してのＭＳ／ＡＴ  １ｘ呼の着信、ページングおよび以降のサービス・オプション通知を示す。ＭＳ／ＡＴ宛の呼がＭＳＣに到着した場合、ＭＳ／ＡＴは登録され、ＨＲＰＤシステムを監視する。図１の右端の欄上に示すように、呼の流れの時間ラインについて以下に詳細に説明する。
【０００５】
１０１．ＭＳＣ（移動交換局）は、着信がそのサービス・エリア内のＭＳ／ＡＴ宛のものであると判定する。ＭＳＣは、ＨＲＰＤ  ＡＮ、およびＨＲＰＤ  ＡＮのページング・エリア内のＭＳ／ＡＴが通信することができる１つまたは複数の１ｘＢＳ（基地局）に、ページング要求メッセージを送信する。ＭＳＣは、送信された各ページング要求メッセージに対して、タイマＴ３１１３のインスタンスを開始する。ページング要求メッセージは、１ｘＢＳがＭＳ／ＡＴからページ応答メッセージを受信する準備をするのを識別する仮想ページ・インジケータ（ＶＰＩ）を含むことができることに留意されたい。
【０００６】
１０２．ＨＲＰＤ  ＡＮは、ＭＳ／ＡＴに一般ページ・メッセージを送信する。
１０３．ＭＳ／ＡＴは、１ｘシステムに同調し、１ｘアクセス・チャネルを通してページ応答メッセージを送信することによりページに肯定応答する。
【０００７】
１０４．１ｘＢＳは、ページング応答メッセージを作成し、それを完全層３情報メッセージ内に挿入し、このメッセージをＭＳＣに送信する。ページング要求メッセージが、タグＩＥを含んでいる場合には、１ｘＢＳは、この要素をページング応答メッセージ内に挿入する。ＭＳ／ＡＴは、１ｘシステム内に暗黙に登録される。１ｘシステムにおけるＭＳ呼の着信の完了の詳細については、３ＧＰＰ２規格文書を参照されたい。ＭＳＣはタイマＴ３１１３をストップする。
【０００８】
上記呼の流れ図を見れば分かるように、ＨＲＰＤ  ＲＡＮは、ＭＳ／ＡＴが呼に応答するために１ｘＲＡＮに移動したのに気が付かないで、離脱したあと長い間、ＭＳ／ＡＴのパケット・データ・セッションのためにネットワーク・リソースの保持を続行することができる。図２は、この問題に対する潜在的な解決方法を示す。
【０００９】
図２は、従来技術による能動ＨＲＰＤデータ・セッション中に、離脱中のＡＴを示す例示としての呼の流れ図２００である。３ＧＰＰ２／Ａ．Ｓ０００８−Ａ  ｖ０．３（Ｖ＆Ｖバージョン）の４．２．２を参照されたい。呼の流れ図２００は、ＭＳ／ＡＴが能動パケット・データ・セッションを行っている間に、音声呼が着信したためにまたは他の理由でＨＲＰＤセッションを離脱中のＭＳ／ＡＴを示す。このシナリオは、ＨＲＰＤ無線リンクの喪失を検出する前に、ＡＴは同時サービスを開始しないものと仮定する。図２の右端の欄に示すように、呼の流れの時間ラインについて以下に詳細に説明する。
【００１０】
２０１．ＢＳは、ページング・チャネルを通してＭＳ／ＡＴアドレスを含むページ・メッセージを送信する。ＭＳ／ＡＴがページ・メッセージを受け入れた場合には、ＭＳ／ＡＴはＡＮへの送信をストップする。ＭＳ／ＡＴは、このページ・メッセージを無視して、ＨＲＰＤセッションを続行することができる。ＭＳ／ＡＴがメッセージを無視した場合には、下記のステップは実行されない。
【００１１】
２０２．ＡＮは、ＭＳ／ＡＴから如何なる送信も受信していないと判定し、この時点で接続が喪失しているものと見なす。
２０３．ＡＮは、ＰＣＦ２に「エア・リンク喪失」を示す理由値を含むＡ９−解放−Ａ８メッセージを送信し、タイマＴｒｅｌ９を開始する。
【００１２】
２０４．ＰＣＦ２は、ＰＤＳＮに能動ストップ会計記録を含むＡ１１登録要求メッセージを送信し、タイマＴｒｅｇｒｅｑを開始する。
２０５．ＰＤＳＮは、ＰＣＦ２にＡ１１−登録返答メッセージを送信する。ＰＣＦ２は、このメッセージを受信した場合、タイマＴｒｅｇｒｅｑをストップする。
【００１３】
２０６．ＰＣＦ２は、ＡＮにＡ９−解放−Ａ８完了メッセージを送信する。ＡＮは、タイマＴｒｅｌ９をストップする。
２０７．ＭＳ／ＡＴは、ＢＳにページ応答メッセージを送信する。このステップは、ステップ２０３の後の任意の時点で実行することができる。
【００１４】
２０８．ＢＳは、割当要求メッセージを受信した場合に、トラヒック・チャネルを確立する。
２０９．ＢＳは、ＭＳ／ＡＴに鳴動を指示するために情報メッセージと一緒に警報を送信する。
【００１５】
２１０．ＭＳ／ＡＴは、ＭＳ／ＡＴのところで呼に応答が行われると接続命令メッセージを送信する。
呼の流れ図２００においては、（ネットワークをまだ離脱していないＭＳ／ＡＴに対するリソースが、まだその時が来ていないのに解放されるのを避けるために）ＭＳ／ＡＴがネットワークを離脱しているとＨＲＰＤネットワークが安心して見なすことができる時間経過後に、ＨＲＰＤネットワークは、ＭＳ／ＡＴの呼を休止状態（２０３〜２０６）に移行する。この呼の流れところで説明した解決方法は、ＭＳ／ＡＴが、同時に１ｘネットワークおよびＨＲＰＤネットワークの両方を監視し（二重化受信機）、１ｘネットワークを介して直接１ｘページを受信する（装置のコストおよびモバイル・バッテリの寿命の点で非効率であり、コストの高い解決方法）ことができると仮定するが、この解決方法は、ＭＳ／ＡＴがＨＲＰＤ  ＲＡＮを介して１ｘＲＡＮからクロス・ページングされる場合にも適用することができる。この解決方法の欠点は、リソースが最終的に解放され、ＭＳ／ＡＴのセッションが最終的に休止状態に移行しても、タイマの時間切れが後に続くＭＳ／ＡＴの活動停止により判定されるように、ＭＳ／ＡＴがＨＲＰＤ  ＲＡＮを離脱するまでの時間、このような解放および移行が起こらないことである。図３は他の解決方法を示す。
【００１６】
図３は、従来技術によるＨＲＰＤシステムにおけるＭＳ／ＡＴへの１ｘページの配信を示す例示としての呼の流れ図３００である。３ＧＰＰ２／Ａ．Ｓ０００８−Ａ  ｖ１．０（公報バージョン）の４．５．３を参照されたい。呼の流れ図３００は、ＨＲＰＤエア・インタフェースを通してのＭＳ／ＡＴ  １ｘ呼の着信、ページングおよびサービス・オプション通知を示す。ＭＳ／ＡＴ宛の呼がＭＳＣに到着した場合、ＭＳ／ＡＴが登録され、ＨＲＰＤシステムを監視する。図３の右端の欄上に示すように、呼の流れの時間ラインについて以下に詳細に説明する。
【００１７】
３０１．ＭＳＣは、着信がそのサービス・エリア内のＭＳ／ＡＴ宛のものであると判定する。ＭＳＣは、ＨＲＰＤ  ＡＮ、およびＨＲＰＤ  ＡＮのページング・エリア内のＭＳ／ＡＴが通信することができる１つまたは複数の１ｘＢＳに、ページング要求メッセージを送信する。ＭＳＣは、送信された各ページング要求メッセージに対して、タイマＴ３１１３のインスタンスを開始する。ページング要求メッセージは、１ｘＢＳが、ＭＳ／ＡＴからページ応答メッセージを受信する準備をするのを識別する仮想ページ・インジケータ（ＶＰＩ）を含むことができることに留意されたい。
【００１８】
３０２．ＨＲＰＤ  ＡＮは、ＭＳ／ＡＴに一般ページ・メッセージを送信する。
３０３．ＭＳ／ＡＴは１ｘシステムに同調し、１ｘアクセス・チャネルを通してページ応答メッセージを送信することによりページに肯定応答する。
【００１９】
３０４．１ｘＢＳは、ページング応答メッセージを作成し、それを完全層３情報メッセージ内に挿入し、メッセージをＭＳＣに送信する。ページング要求メッセージが、タグＩＥを含んでいた場合には、１ｘＢＳは、このＩＥをページング応答メッセージ内に挿入する。ＭＳ／ＡＴは、１ｘシステム内に暗黙に登録される。１ｘシステムにおけるＭＳ呼の着信の完了の詳細については３ＧＰＰ２規格文書を参照されたい。ＭＳＣは、このＭＳ／ＡＴに対するタイマＴ３１１３のすべてのインスタンスをストップする。
【００２０】
３０５．１ｘＢＳ／ＭＳＣは、ＭＴ呼設定手段を続行する。
３０６．ＭＳＣは、相互通知サービスに加入したＭＳ／ＡＴが、１ｘシステムに登録したと判定し、ＨＲＰＤ  ＡＮに登録イベントを含むイベント通知メッセージを送信することができる。このステップは、ステップ３０４後の任意の時点で実行することができる。
【００２１】
呼の流れ図３００においては、ＭＳＣは、ＭＳ／ＡＴが１ｘＲＡＮに登録した後または１ｘＲＡＮからクロス・ページを受け入れた後で、ＨＲＰＤ  ＲＡＮにイベント通知メッセージを送信する。この解決方法は、ＭＳ／ＡＴがそのネットワークを離脱したかどうかを判定する際にはＨＲＰＤ  ＲＡＮの助けになるが、多くの販売業者が使用しようと考えていないＨＲＰＤ  ＲＡＮへのＭＳＣインタフェースを必要とする。まだ解決されていないもう１つの問題は、将来のＩＭＳ呼が１ｘネットワークに経路指定されるように、ＡＴがＨＲＰＤから１ｘネットワークに移動した場合のＩＭＳネットワークの登録更新である（特に、二重化登録がサポートされている場合の問題）。
【００２２】
例えば、発呼者の発呼者ＩＤ、または現在のサービス（１ｘＲＡＮ内の回線音声呼またはＨＲＰＤ  ＲＡＮ内のパケット・データ呼）を続行する選択に基づいて、第２のネットワーク（１ｘまたはＨＲＰＤ  ＲＡＮ）が第１のＲＡＮ（１ｘまたはＨＲＰＤ）内でＭＳ／ＡＴをページングした場合、およびＭＳ／ＡＴが、第２のネットワークからのクロス・ページを無視した場合には、他の問題が発生する。ＭＳ／ＡＴをページングしている第２のネットワークは、このことについて決して通知を受けないし、最終的にあきらめるまでページを広げることにより１ｘおよびＨＲＰＤ  ＲＡＮの両方でＭＳ／ＡＴをページングしようとする試みを続行することができる。そうするためには、必要もないのに無駄に使用されるネットワーク・リソースが必要になる。何故なら、ＭＳ／ＡＴは、第２のネットワークからのクロス・ページを無視しているからである。
【非特許文献１】３ＧＰＰ２／Ａ．Ｓ０００８−Ａ  ｖ０．３（Ｖ＆Ｖバージョン）の４．２．２
【非特許文献２】３ＧＰＰ２／Ａ．Ｓ０００８−Ａ  ｖ１．０（公報バージョン）の４．５．３
【発明の開示】
【発明が解決しようとする課題】
【００２３】
それ故、多重ＲＡＮ通信システムにおいてサービスを提供するためのリソースの点でより効率的な方法が求められている。
【課題を解決するための手段】
【００２４】
図４〜図１１を参照しながら、本発明の特定の実施形態について以下に開示する。本明細書においては、例で１ｘＲＡＮおよびＨＲＰＤ  ＲＡＮを説明しているが、本発明の実施形態は、他の回線／パケット・ネットワーク（例えば、ＷＬＡＮおよびＷＩＭＡＸなど）を含むこともできることに留意されたい。説明も図面も本発明の理解を容易にするためのものである。例えば、図面中の要素のうちのあるものの寸法は、他の要素と比較して誇張してあるし、実施形態を分かりやすくし、よりはっきりと示すために、商業的に成功している実施態様に有益であり必要である周知の要素を図示していない場合がある。さらに、別段の指示がない限り、信号送信の順序および分類分けは、特許請求の範囲に含まれる他の実施形態を制限するものではない。
【００２５】
周知の技術の見地から見て、効率的に当業者が本発明を製造し、使用し、最善の方法で実施することができるように、説明および図面を簡単で分かりやすいものにしてある。当業者であれば、本発明の精神および範囲から逸脱することなしに、下記の特定の実施形態を種々に修正し、変更することができることを理解することができるだろう。それ故、本明細書および図面は、説明および例示としてのものであって、本発明を制限するものでもなければ、すべてを網羅するものでもなく、下記の特定の実施形態に対するこのようなすべての修正は、本発明の範囲内に含まれる。
【発明を実施するための最良の形態】
【００２６】
多重ＲＡＮ通信システムにおいてサービスを提供するためのリソースをより効率的に使用する方法に対するニーズを満たすために、クロス・ページングＲＡＮに、目標遠隔ユニットがサービス要求を受け入れ中でないことを知らせ、サービスを提供しているＲＡＮに、目標遠隔ユニットがサービス要求を受け入れ中であることを知らせ、ＩＭＳ（ＩＰマルチメディア・サブシステム）ネットワークに、目標遠隔ユニットがサービス提供ＲＡＮからクロス・ページングＲＡＮに移動していること（またはクロス・ページングしないで、他のＲＡＮに単に移動していることを）知らせるための種々の実施形態について説明する。それ故、本明細書に記載する実施形態のような実施形態は、不必要なページングの量を低減し、ＶｏＩＰ（Ｖｏｉｃｅ  ｏｖｅｒ  ＩＰ）呼を行うためにＩＭＳコア・ネットワークを使用できる場合に、クロス・ページングを最小限度に低減するために、多重ＲＡＮ通信システムにより迅速に不必要なリソースを解放させることができる。
【００２７】
本発明の実施形態は、多重ＲＡＮ（無線アクセス・ネットワーク）通信システムにおいてサービスを提供するための方法を含む。第１のＲＡＮは、サービスを第２のＲＡＮから提供するように、遠隔ユニットにページングするようにとの要求を受信し、次に、この要求に応じて、サービスを提供するために遠隔ユニットにページングする。次に、第１のＲＡＮは、遠隔ユニットまたは第２のＲＡＮから遠隔ユニットに関する表示を受信することができる。第２のＲＡＮから受信することができる表示は、遠隔ユニットがサービスを受け入れたという表示、遠隔ユニットによる第２のＲＡＮへの移動の表示、遠隔ユニットが第２のＲＡＮに登録したという表示、および／または第２のＲＡＮが遠隔ユニットの入手に成功したという表示を含む。遠隔ユニットから受信することができる表示は、遠隔ユニットが第１のＲＡＮから離脱中であるという表示、遠隔ユニットが第２のＲＡＮに移動中であるという表示、遠隔ユニットが第１のＲＡＮとの登録を解除中であるという表示、遠隔ユニットが第２のＲＡＮに登録中であるという表示、遠隔ユニットが第２のＲＡＮからサービスを受け入れ中であるという表示、および／または遠隔ユニットが、第２のＲＡＮからサービスを受け入れていないという表示を含む。第１のＲＡＮが遠隔ユニットから遠隔ユニットがサービスを受け入れていないことを示すメッセージを受信した場合には、第１のＲＡＮは、遠隔ユニットがサービスを受け入れていないことを示すメッセージを送信する。
【００２８】
上記登録および登録解除について説明する。しかし、登録は状況により異なる活動を意味する場合がある。例えば、遠隔ユニットは、自分がＲＡＮに、自分がＲＡＮによりサポートされているエア・インタフェースを介して、ＲＡＮにより送信された順方向リンク・チャネルを監視していることを通知した場合には、ＲＡＮに登録していると見なされる。例えば、遠隔ユニットがＲＡＮのエア・インタフェースを介して登録に関連する信号を送信した場合には、この通知は明示のものであってもよい。または、例えば、遠隔ユニットが呼設定（例えば、発呼またはページ応答メッセージ）のためにＲＡＮにメッセージを送信した場合には、この通知は暗黙のものであってもよい。遠隔ユニットがシグナリング（例えば、ＳＩＰ）を介してＩＭＳネットワークにその位置を通知した場合には、遠隔ユニットはＩＭＳネットワークに登録していると見なされる。ＩＭＳネットワークが、遠隔ユニットがもはやパケット・データＲＡＮ内に位置していないと通知され、または遠隔ユニットの位置を異なるＲＡＮに更新する新しい登録が発生した場合には、所与の遠隔ユニットは、ＩＭＳネットワークとの登録を解除したと見なされる。
【００２９】
本発明の実施形態は、多重ＲＡＮ通信システムにおいてサービスを提供するための他の方法も含む。第２のＲＡＮは、第２のＲＡＮから提供されるサービスのために遠隔ユニットをページングするようにとの要求を第１のＲＡＮに送信する。次に、第２のＲＡＮは、遠隔ユニットがサービスを受け入れていないことを示すメッセージを第１のＲＡＮから受信するか、または第２のＲＡＮは、遠隔ユニットに関する少なくとも１つの表示を第１のＲＡＮに送信することができる。この表示は、遠隔ユニットがサービスを受け入れたという表示、遠隔ユニットが第２のＲＡＮに移動中であるという表示、遠隔ユニットが第２のＲＡＮに登録したという表示、および／または第２のＲＡＮが遠隔ユニットの入手に成功したという表示を含む。
【００３０】
本発明の実施形態は、多重ＲＡＮ通信システムにおいてサービスを提供するためのさらに他の方法を含む。遠隔ユニットは、遠隔ユニットに送られたサービス要求に対する第１のＲＡＮからの信号を監視し、ＩＭＳ（ＩＰマルチメディア・サブシステム）ネットワークに、遠隔ユニットの第１のＲＡＮから第２のＲＡＮへの移動を通知し、またサービス要求のための第２のＲＡＮからの信号の監視を開始する。
【００３１】
背景として、図４および図５は、本発明を実施するために使用することができる２つの他のＨＲＰＤアーキテクチャの例を示す。図４は、ＳＣ／ＭＭ機能がＡＮの一部であるＨＲＰＤ  ＩＯＳアーキテクチャ基準モデルのブロック図４００である。Ａ１／Ａ１Ｐインタフェースは、１ｘＢＳおよびＭＳＣのところまで延びる。ＩＷＳ機能は、１ｘＢＳのところまたはＨＲＰＤ  ＡＮのところに一緒に設置することもできるし、または自立型エンティティとして設置することもできる。ＩＷＳ機能を１ｘＢＳのところに一緒に設置する場合は、Ａ２１インタフェースは、１ｘＢＳおよびＨＲＰＤ  ＡＮのところまで延びる。ＩＷＳ機能が、ＨＲＰＤ  ＡＮのところに一緒に設置される場合は、Ａ１／Ａ１ｐインタフェースは、ＨＲＰＤ  ＲＡＮによりサポートされ、ＭＳＣおよびＨＲＰＤ  ＡＮまで延び、Ａ２１インタフェースは、ＨＲＰＤ  ＡＮ内に位置する。ＩＷＳが自立型エンティティとして位置する場合には、Ａ１／Ａ１ＰおよびＡ２１インタフェースは、ＨＲＰＤ  ＲＡＮによりサポートされる。Ａ１／Ａ１Ｐインタフェースは、ＭＳＣおよびＩＷＳのところまで延び、Ａ２１インタフェースは、ＩＷＳおよびＨＲＰＤ  ＡＮまで延びる。
【００３２】
図５は、ＳＣ／ＭＭ機能が、ＰＣＦ（パケット制御機能）の一部であるＨＲＰＤ  ＩＯＳアーキテクチャ基準モデルのブロック図５００である。Ａ１／Ａ１Ｐインタフェースは、１ｘＢＳおよびＭＳＣのところまで延びる。ＩＷＳ機能は、１ｘＢＳのところまたはＨＲＰＤ  ＰＣＦのところに一緒に設置することもできるし、または自立型エンティティとして設置することもできる。ＩＷＳ機能を１ｘＰＣＦのところに一緒に設置する場合は、Ａ２１インタフェースは、１ｘＢＳおよびＨＲＰＤ  ＰＣＦのところまで延びる。ＩＷＳ機能が、ＨＲＰＤ  ＰＣＦのところに一緒に設置される場合は、Ａ１／Ａ１ｐインタフェースは、ＨＲＰＤ  ＲＡＮによりサポートされ、ＭＳＣおよびＨＲＰＤ  ＰＣＦまで延び、Ａ２１インタフェースは、ＨＲＰＤ  ＰＣＦ内に位置する。ＩＷＳ機能が自立型エンティティとして位置する場合には、Ａ１／Ａ１ｐおよびＡ２１インタフェースは、ＨＲＰＤ  ＲＡＮによりサポートされる。Ａ１／Ａ１Ｐインタフェースは、ＭＳＣおよびＩＷＳまで延び、Ａ２１インタフェースは、ＩＷＳおよびＨＲＰＤ  ＡＮまで延びる。
【００３３】
それ故、要約すると、図面４００および５００両方は、相互に作用する解決（ＩＷＳ）機能の他の位置を示す。例えば、図面４００によれば、ＩＷＳは、１ｘＢＳまたはＡＮのところに論理的に一緒に設置されていて、または自立型エンティティとして設置されていて、ＭＳＣから受信し、ＭＳＣに送信するＩＯＳＡ１／Ａ１ｐメッセージとＨＲＰＤエア・インタフェースを通して送信／受信する１ｘエア・インタフェース・メッセージとの間で変換を行う機能を提供する。図面５００によれば、ＩＷＳは、１ｘＢＳまたはＰＣＦのところに一緒に論理的に位置するか、または自立型エンティティとして一緒に位置する。
【００３４】
より適切なインタフェースのあるものは、Ａ１、Ａ１ｐおよびＡ２１インタフェースを含む。Ａ１／Ａ１Ｐインタフェースは、ＭＳＣと１ｘＢＳの間の１ｘＲＡＮ内でサポートされる。ＨＲＰＤネットワークの場合には（自立型ＩＷＳを使用した場合、またはＩＷＳをＨＲＰＤ  ＡＮまたはＰＣＦのところに一緒に設置した場合）、Ａ１インタフェースは、回線交換ＭＳＣおよびＩＷＳ機能の呼制御機能および移動管理機能間で信号情報を運ぶ。Ａ１ｐインタフェースは、ＭＳＣおよびＩＷＳ機能の呼制御機能および移動管理機能間で信号情報を運ぶ。図面４００によれば、Ａ２１インタフェースは、ＨＲＰＤ  ＡＮおよびＩＷＳ間で信号情報を運び、またはＩＷＳが１ｘＢＳのところに一緒に位置している場合は、ＨＲＰＤ  ＡＮと１ｘＢＳの間で信号情報を運ぶ。Ａ２１インタフェースは、ＨＲＰＤ  ＡＮとＩＷＳの間で１ｘエア・インタフェース信号メッセージを送るために使用され、またはＩＷＳが１ｘＢＳのところに一緒に位置している場合には、ＨＲＰＤ  ＡＮと１ｘＢＳの間で上記信号メッセージを送るために使用される。ある実施形態の場合には、このインタフェースは、ＩＷＳ機能が１ｘＢＳのところに一緒に位置している場合だけサポートすることができる。図５００によれば、Ａ２１インタフェースは、ＨＲＰＤ  ＰＣＦとＩＷＳの間で信号情報を運び、またはＩＷＳが１ｘＢＳのところに一緒に位置している場合には、ＨＲＰＤ  ＰＣＦと１ｘＢＳの間で上記信号情報を運ぶ。この場合、Ａ２１インタフェースは、ＨＲＰＤ  ＰＣＦとＩＷＳの間で１ｘエア・インタフェース信号メッセージをトランスペアレントに通過させるために使用されるか、またはＩＷＳが１ｘＢＳのところに一緒に位置している場合には、ＨＲＰＤ  ＰＣＦと１ｘＢＳの間で上記信号メッセージをトランスペアレントに通過させるために使用される。この場合も、ある実施形態の場合には、このインタフェースは、ＩＷＳ機能が１ｘＢＳのところに一緒に位置している場合だけサポートすることができる。
【００３５】
図６は、本発明の複数の実施形態による無線パケット・データ・ネットワークに対してインタフェースとしての働きをする１ｘネットワークを含む無線通信システムのブロック図６００である。図６の無線パケット・データ・ネットワークは、ＨＲＰＤネットワークである。しかし、本発明は、ＨＲＰＤネットワークに限定されない。例えば、図６の無線通信システムは、代わりにまたは追加として、ＩＥＥＥ８０２．１６および／または８０２．２０ネットワークをベースとする無線パケット・データ・ネットワークのような無線パケット・データ・ネットワークを含むことができる。
【００３６】
図面６００は、インタフェースＡｙ、ＡｚおよびＡｐを示す。実施形態により、これらのインタフェースのいくつか、１つまたはすべてをサポートすることができる。これらインタフェースの詳細については、「３Ｇ１ｘネットワークと無線パケット・データ・ネットワークの間の相互動作性を容易にするための方法および装置」（ＭＥＴＨＯＤ  ＡＮＤ  ＡＰＰＡＲＡＴＵＳ  ＴＯ  ＦＡＣＩＬＩＴＡＴＥ  ＩＮＴＥＲ−ＯＰＥＲＡＢＩＬＩＴＹ  ＢＥＴＷＥＥＮ  Ａ  ３Ｇ１Ｘ  ＮＥＴＷＯＲＫ  ＡＮＤ  Ａ  ＷＩＲＥＬＥＳＳ  ＰＡＣＫＥＴ  ＤＡＴＡ  ＮＥＴＷＯＲＫ）という名称の同時係属出願第１１／１４１９２６号を参照されたい。ある実施形態の場合には、インタフェースＡｙは、インタフェースＡ２１に対応することができ、またはインタフェースＡ２１を含むことができる。
【００３７】
また、ＭＳ／ＡＴ６０１は、多くの場合、ハイブリッド移動局と呼ばれる。本発明のＭＳ／ＡＴは、移動デバイス自身に限定されない。それ故、ＭＳ／ＡＴは、より正確には遠隔ユニットと呼ぶことができる。例えば、ＭＳ／ＡＴは、コンピュータ、携帯情報端末（ＰＤＡ）、ゲーム・デバイス等のような無線アクセス・ネットワークに無線で接続しているすべてのタイプのデバイスを備えることができる。
【００３８】
従来技術の場合には、ＨＲＰＤネットワーク内のＭＳ／ＡＴが、ＣＳＮＡ一般ページ・メッセージを受信した場合には、ＭＳ／ＡＴは、離脱中のＨＲＰＤシステムに表示（接続閉）を全然提供しないで、１ｘシステムに進むことができる。その結果、ＨＲＰＤ  ＲＡＮは、ＭＳ／ＡＴが呼に応答するために１ｘＲＡＮに移動したことに気が付かないで、離脱してから長い時間が経過してもＭＳ／ＡＴのパケット・データ・セッションのためのネットワーク・リソースの保持を続行することができる。
【００３９】
同様に、ＭＳ／ＡＴは、ＣＳＮＡ一般ページ・メッセージを無視することを選択することもできる（例えば、発呼者の発呼者ＩＤまたはＨＲＰＤサービスを続行するという選択に基づいて）。現在の手順は、ＣＳＮＡ一般ページ・メッセージを拒否している場合に、ＨＲＰＤシステムへ任意の表示を提供するためにＭＳ／ＡＴを必要としない。その結果、ＭＳ／ＡＴをページングしている１ｘネットワークは、このことについて決して通知を受けず、最終的にあきらめるまでページを広げることにより、１ｘおよびＨＲＰＤ  ＲＡＮの両方でＭＳ／ＡＴをページングする試みを続行することができる。そうするためには、必要もないのに無駄に使用されるネットワーク・リソースが必要になる。何故なら、ＭＳ／ＡＴは、１ｘネットワークからのクロス・ページを無視しているからである。
【００４０】
一実施形態の場合には、ＣＳＮＡ一般ページ・メッセージを受け入れまたは拒否した場合に、ＨＲＰＤシステムに通知するためにＭＳ／ＡＴが必要になる時間を表示するために、セクタ・パラメータ・メッセージに２つの新しいフィールドが追加される。以下に修正したセクタ・パラメータ・メッセージを示す。
【００４１】
【表１】
0004546490.tif 000002
【００４２】
ＣＳＮＡ一般ページ・メッセージに応じて、１ｘシステムに移行する前に接続を閉じる目的で、接続閉メッセージを送信するためにＭＳ／ＡＴが必要とする場合には、アクセス・ネットワークは、クロス・ページ受入要求フィールドを「１」にセットすることができる。そうでない場合には、アクセス・ネットワークは、このフィールドを「０」にセットすることができる。さらに、ＡＴがＣＳＮＡ一般ページ・メッセージを拒否している時に、ＣＳＮＡ解放命令を送信するためにＡＴが必要な場合には、アクセス・ネットワークは、クロス・ページ否定要求フィールドを「１」にセットすることができる。そうでない場合には、アクセス・ネットワークは、このフィールドを「０」にセットすることができる。
【００４３】
上記の例は、特定のＲＡＮがどの信号を必要としているのかを遠隔ユニットに示す１つの方法である。言うまでもないことであるが、遠隔ユニットが、サービス要求に応答するように命令することができる多くの方法があり、応答の方法、およびＲＡＮ、ＭＳＣ、ＩＭＳ構成要素等が、遠隔ユニット応答を処理し、配信することができる方法の多くの組合せがある。以下に異なる可能性のいくつかの例について説明する。
【００４４】
ＭＳ／ＡＴがＨＲＰＤ  ＲＡＮを介して１ｘＲＡＮから回線音声呼に対するクロス・ページを受け入れることを決定した場合には、ＭＳ／ＡＴは、ＨＲＰＤ  ＲＡＮからもうすぐ離脱することを知らせるために、ＨＲＰＤ  ＲＡＮにＨＲＰＤエア・インタフェース・メッセージ／表示を送信する。これにより、ＨＲＰＤ  ＲＡＮは、ＭＳ／ＡＴがページを受け入れることを決定した場合すぐに通知を受けることができ、またリソースをより効率的に使用することができる。
【００４５】
ＭＳ／ＡＴが、第１のＲＡＮからサービスを受けながら、第２のＲＡＮからクロス・ページを受信した場合には、ＭＳ／ＡＴがページを受け取るために第２のＲＡＮに移動し、サービスを開始した後で、第２のＲＡＮは、ＲＡＮ間信号インタフェース（例えば、Ａ２１など）を介して、第１のＲＡＮにメッセージを送信し、第２のＲＡＮがＭＳ／ＡＴの取得に成功したことを通知する。次に、第１のＲＡＮは、ＭＳ／ＡＴのためにネットワーク・リソースを解放する。第２のＲＡＮが１ｘ回線ネットワークであり、第１のＲＡＮがＨＲＰＤ  ＲＡＮである場合には、ＨＲＰＤ  ＲＡＮは、能動状態にあった場合には、ＭＳ／ＡＴのパケット・データ・セッションを休止状態にする。この実施形態は、ＭＳＣまたはＭＳＣインタフェースに依存しないで、第２のＲＡＮがＭＳ／ＡＴの取得に成功した後で、第１のＲＡＮに肯定的連絡を通知する。従来技術は、この決定を行うためにＲＦの喪失または第１のＲＡＮに対するＨＲＰＤ  ＲＡＮへのＡ１  ＭＳＣインタフェースを必要とする。
【００４６】
第１のＲＡＮからサービスを受けているＭＳ／ＡＴが、第２のＲＡＮからのサービスに対してクロス・ページングされ、クロス・ページングを拒否する決定をした場合に使用されるいくつかのシナリオを解決するための種々の実施形態について説明する。
【００４７】
第１のＲＡＮがＨＲＰＤ  ＲＡＮであり、第２のＲＡＮが１ｘＲＡＮである場合には、ＭＳ／ＡＴは、ＨＲＰＤ  ＲＡＮに、ＨＲＰＤエア・インタフェースを通して、ページ要求を拒否しているという明示の表示を送信する。ＭＳ／ＡＴは、ＨＲＰＤ  ＲＡＮに、ＣＳＮＡカプセル入りメッセージ（例えば、ＭＳ拒否命令または解放命令など）を送信する。
【００４８】
第１のＲＡＮが１ｘＲＡＮであり、第２のＲＡＮがＨＲＰＤ  ＲＡＮである場合には、ＭＳ／ＡＴは、クロス・ページを拒否したことを通知する１ｘネットワークへの一般ページ・メッセージに応じて、サービス・オプション＝０を含むデータ・バースト・メッセージ（ＤＢＭ）またはページ応答メッセージ（ＰＲＭ）に応じてＭＳ拒否命令を送信する。
【００４９】
ページを拒否した後で、第１のＲＡＮは、ＭＳ／ＡＴがクロス・ページを拒否したことを通知するメッセージ／表示を第２のＲＡＮに送信する。メッセージ／表示は、ＨＲＰＤ−１ｘＡ２１ＲＡＮ間インタフェースを通して第２のネットワークに送信される。ＭＳＣベースのＨＲＰＤアーキテクチャを使用している場合には、また、メッセージ／表示をＡ１  ＭＳＣインタフェースを介して送信することができる。第２のＲＡＮは、第１のＲＡＮからのメッセージに応じて、ＭＳ／ＡＴに対する他のページングの試みを破棄する。
【００５０】
第１のＲＡＮが１ｘＲＡＮであり、第２のＲＡＮがＨＲＰＤ  ＲＡＮであり、ＳＩＰ  ＩＮＶＩＴＥを含むＤＢＭとしてクロス・ページを受信した場合には、ＭＳ／ＡＴは、クロス・ページを拒否するＳＩＰメッセージで応答することによりＳＩＰ  ＩＮＶＩＴＥを拒否することができる。１ｘ回線ＲＡＮは、ＨＲＰＤまたはＳＩＰシグナリングをサポートしないので、ＳＩＰメッセージは、１ｘエア・インタフェース（ＴＩＡ−２０００）を通して、１ｘＤＢＭメッセージ内に含まれているＨＲＰＤ  ＤａｔａＯｖｅｒＳｉｇｎａｌｉｎｇ（ＤＯＳ）メッセージにより送信される。上記他のシナリオとは対照的に、１ｘＲＡＮもＨＲＰＤ  ＲＡＮも、クロス・ページがＩＭＳネットワークによりＡＴに送信されたことを気が付かない。それ故、１ｘＲＡＮはクロス・ページ拒否をＨＲＰＤ  ＲＡＮに送信しない。
【００５１】
本発明の他の実施形態は、ＩＭＳコア・ネットワークを使用しているネットワークに関する。ＩＭＳネットワークが、クロス・ページングを最小限度に低減するために、ＩＭＳネットワーク（パケット・データＲＡＮまたは回線ＲＡＮ）からの着信を配信する場所を効率的に決定するために、呼設定時間中に、信号オーバーヘッドを増大しないで、移動局が現在どのＲＡＮを監視しているのかが分かればＩＭＳネットワークにとって有利である。本明細書においては、例として１ｘＲＡＮおよびＨＲＰＤ  ＲＡＮについて説明しているが、上記例は、例えば、１ｘ−ＷＬＡＮ二重化技術ネットワークのような任意の結合回線パケット・ネットワークにも適用することができることに留意されたい。
【００５２】
ＩＭＳ接続を使用することができ、１ｘ−ＨＲＰＤ  ＲＡＮを横切ってクロス・ページングがサポートされているこれら二重化ネットワークにおいては、ＡＴがＨＲＰＤ  ＲＡＮに移動し登録した後で、ＡＴはＨＲＰＤ  ＲＡＮを介してＩＭＳネットワーク動作可能ＶｏＩＰ呼配信にも登録する。しかし、ＭＳ／ＡＴが１ｘネットワークに移動した場合には、将来の音声呼が１ｘ回線ＲＡＮを介して１ｘ回線音声呼として配信することができるように、ＭＳ／ＡＴがもはやＨＲＰＤ  ＲＡＮを監視していないことをＩＭＳネットワークに効率的に知らせるための方法が必要になる。
【００５３】
ＩＭＳネットワークがこの情報を有していない場合には、ＩＭＳネットワークは、（効率のもっと低い呼配信となる正しいＲＡＮに対するクロス・ページングにより追跡しなければならない）間違ったＲＡＮに呼を配信する危険を冒して、ＭＳ／ＡＴの現在の位置を「推定」することもできるし、または同様に、呼設定時間が長くなり、さらに、二重化ドメイン・ネットワーク内での音声呼配信をサポートするために、ＩＭＳネットワークでのオーバーヘッドが増大することになるＭＳ／ＡＴの位置を決定するために、他の「コア」ネットワーク・エンティティに問い合わせを行わなければならない。
【００５４】
それ故、将来の音声呼がＨＲＰＤ  ＲＡＮにＶｏＩＰ呼として配信されないように、ＡＴがＨＲＰＤ  ＲＡＮを離脱中であるか、離脱したことをＩＭＳネットワークに通知するための方法が必要になる。次に、ＩＭＳネットワークからの将来の呼の配信は、ＭＳ／ＡＴが現在監視している１ｘＲＡＮに向けられ、ＩＭＳネットワークが移動局の位置を間違って推定した場合、クロス・ページングする必要がなくなる。いくつかの実施形態は下記のオプションから由来する。
【００５５】
ＨＲＰＤ  ＲＡＮを離脱する前に、ＡＴは、ＨＲＰＤ  ＲＡＮを介してＩＭＳネットワークにＳＩＰメッセージ（例えば、ＳＩＰ  ＮＯＴＩＦＹなど）を送信する。ＨＲＰＤ  ＲＡＮは、メッセージをＰＤＳＮ／パケット・コア・ネットワークに転送し、このネットワークはこのメッセージをＩＭＳネットワーク内のＳＩＰサーバに転送する。ＭＳ／ＡＴは、ＨＲＰＤ  ＲＡＮ上に休止セッションを有している場合には（トラヒック・チャネルがＭＳ／ＡＴに割り当てられていない場合には）、ＭＳ／ＡＴが離脱する前に、ＨＲＰＤパケット・データ・セッションを再度作動することにより、トラヒック・チャネルを通してＳＩＰシグナリングが送信される。別の方法としては、ＭＳ／ＡＴが離脱する前に、ＨＲＰＤ  ＲＡＮにＨＲＰＤ  ＤＯＳメッセージとしてＳＩＰシグナリングを送ることもできる。別の方法としては、ＡＴは、メッセージ・サイズ要件を最小限度に低減するために、ＨＲＰＤ  ＤＯＳメッセージ内のＳＩＰメッセージではなく、ＩＭＳネットワークに通知するためにアプリケーションが定義したＩＰパケットを送信することができる。ＳＩＰメッセージまたはＩＰパケットの配信の後で、ＩＭＳネットワークは、ＭＳ／ＡＴが１ｘＲＡＮを監視していることに気が付き、将来の音声呼を１ｘＲＡＮへの回線音声呼として配信する。
【００５６】
１ｘＲＡＮに移動し、登録した後で、ＡＴは、ＭＳ／ＡＴが１ｘＲＡＮ（ＳＩＰ  ＮＯＴＩＦＹ）に登録していることまたはＩＭＳネットワーク（ＳＩＰ  ＢＹＥ）から登録を解除中であることを通知するために、ＨＲＰＤ  ＲＡＮおよびＩＭＳネットワークに転送される１ｘＲＡＮにＳＩＰメッセージ（例えば、ＳＩＰ  ＮＯＴＩＹまたはＳＩＰ  ＢＹＥなど）を送信する。１ｘ回線ＲＡＮは、ＨＲＰＤまたはＳＩＰシグナリングをサポートしていないので、ＳＩＰメッセージは、１ｘエア・インタフェース（ＴＩＡ−２０００）を通して、１ｘＤＢＭメッセージ内に含まれているＨＲＰＤ  ＤＯＳメッセージにより送信される。１ｘＲＡＮは、ＨＲＰＤネットワーク（例えば、Ａ２１を介して）にＳＩＰシグナリングを含んでいるＨＲＰＤ  ＤＯＳを転送し、ＨＲＰＤネットワークは、ＩＭＳネットワーク内のＳＩＰサーバに登録情報を転送する。ＨＲＰＤ  ＤＯＳメッセージのサイズを最小限度に低減するために、別の方法としては、ＡＴは、ＩＭＳネットワークに通知するために、ＳＩＰメッセージではなく、ＨＲＰＤ  ＤＯＳメッセージ内のアプリケーション定義のＩＰパケットを含むことができる。
【００５７】
別の方法としては、ＨＲＰＤ  ＲＡＮが、ＭＳ／ＡＴからＨＲＰＤ  ＲＡＮから離脱しつつあるというＨＲＰＤメッセージ／表示、または１ｘＲＡＮからＭＳ／ＡＴが登録に成功したことまたは１ｘＲＡＮにより取得されたことを示す明示の信号を受信した後で、ＨＲＰＤ  ＲＡＮまたはパケット・コア・ネットワーク・エンティティは、ＩＭＳネットワークにＡＴが１ｘネットワークに移動したことを通知するために、ＭＳ／ＡＴのためにＳＩＰシグナリングを発生する。
【００５８】
図７は、本発明の複数の実施形態による１ｘネットワークのクロス・ページを拒否している、Ａ２１ベースのＨＲＰＤネットワーク内のＭＳ／ＡＴを示す例示としての呼の流れ図７００である。図７の右端の欄に示す呼の流れの時間ラインについて以下に詳細に説明する。
【００５９】
７０１．ＭＳＣは、回線音声呼（およびＡ１ベースのアーキテクチャのＨＲＰＤ  ＡＮ／ＰＣＦ）に対する１ｘＢＳへのページング要求を送信する。
７０２．１ｘＢＳは、ＭＳ／ＡＴからの要求されなかったページ応答に対して準備するために、１ｘエア・インタフェースを通してページ要求を送信することができる。
【００６０】
７０３．１ｘＢＳは、ページ要求を、ＭＳ／ＡＴがＨＲＰＤサービスに対して登録されているＨＲＰＤ  ＲＡＮに送信する。
７０４．ＨＲＰＤ  ＲＡＮは、ＭＳ／ＡＴにＨＲＰＤ  ＣＳＮＡメッセージ内に入っている１ｘページ・メッセージを送信する（Ｃ．Ｓ００２４−Ａ参照）。
【００６１】
７０５．ＭＳ／ＡＴは、ＨＲＰＤ  ＣＳＮＡメッセージ内に入っているページ・メッセージを拒否する１ｘメッセージを送信する。
７０６．ＨＲＰＤ  ＲＡＮは、Ａ２１ＲＡＮ間インタフェースを介して、１ｘネットワークに１ｘ回線サービスに対するＭＳ／ＡＴの拒否を転送する。
【００６２】
７０７．１ｘＲＡＮは、新しいＡ１／Ａ１Ｐ「接続」（ＳＣＣＰ  ＵＤＴ／ＳＵＡ  ＣＬＤＴ）解放メッセージを介してＭＳＣに、１ｘ回線サービスに対するＭＳ／ＡＴの拒否を転送する。１ｘＲＡＮおよびＭＳＣは、ＨＲＰＤ  ＲＡＮを介して受信したＭＳ／ＡＴからのページ・メッセージの拒否に応じて、ＭＳ／ＡＴの他のページングを破棄する。
【００６３】
図８は、本発明の複数の実施形態による１ｘネットワークのクロス・ページを拒否している、ＭＳＣベースのＨＲＰＤネットワーク内のＭＳ／ＡＴを示す例示としての呼の流れ図８００である。図８の右端の欄に示す呼の流れの時間ラインについて以下に詳細に説明する。
【００６４】
８０１．ＭＳＣは、回線音声呼およびＡ１ベースのアーキテクチャのＨＲＰＤ  ＡＮ／ＰＣＦに対する１ｘＢＳへのページング要求を送信する。１ｘＢＳは、ＭＳ／ＡＴからの要求されなかったページ応答に対して準備するために、１ｘエア・インタフェースを通してページ要求を送信することができる。１ｘＢＳは、ＭＳ／ＡＴがＨＲＰＤサービスに対して登録されているＨＲＰＤ  ＲＡＮにページ要求を送信する。
【００６５】
８０２．ＨＲＰＤ  ＲＡＮは、ＭＳ／ＡＴにＨＲＰＤ  ＣＳＮＡメッセージ内に入っている１ｘページ・メッセージを送信する。
８０３．ＭＳ／ＡＴは、ＨＲＰＤ  ＣＳＮＡメッセージ内に入っているページ・メッセージを拒否する１ｘ解放メッセージを送信する。
【００６６】
８０４．ＨＲＰＤ  ＲＡＮは、新しいＡ１／Ａ１Ｐ「接続」（ＳＣＣＰ  ＵＤＴ／ＳＵＡ  ＣＬＤＴ）解放メッセージを介して、ＭＳＣに１ｘ回線サービスに対するＭＳ／ＡＴの拒否を転送する。ＭＳＣは、ＨＲＰＤ  ＲＡＮを介して受信したＭＳ／ＡＴからのページ・メッセージの拒否に応じて、ＭＳ／ＡＴの他のページングを破棄する。
【００６７】
図９は、本発明の複数の実施形態による１ｘネットワークのクロス・ページを受け入れている能動パケット・データ・セッションを含むＡ２１ベースのＨＲＰＤネットワーク内のＭＳ／ＡＴを示す例示としての呼の流れ図９００である。図９の右端の欄に示す呼の流れの時間ラインについて以下に詳細に説明する。
【００６８】
９０１．ＭＳＣは、回線音声呼（およびＡ１ベースのアーキテクチャのＨＲＰＤ  ＡＮ／ＰＣＦ）に対する１ｘＢＳにページング要求を送信する。
９０２．１ｘＢＳは、ＭＳ／ＡＴからの要求されなかったページ応答に対して準備するために、１ｘエア・インタフェースを通してページ要求を送信することができる。
【００６９】
９０３．１ｘＢＳは、ＭＳ／ＡＴがＨＲＰＤサービスに対して登録されているＨＲＰＤ  ＲＡＮにページ要求を送信する。
９０４．ＨＲＰＤ  ＲＡＮは、ＭＳ／ＡＴにＨＲＰＤ  ＣＳＮＡメッセージ内に入っている１ｘページ・メッセージを送信する（Ｃ．Ｓ００２４−Ａ参照）。
【００７０】
９０５．ＭＳ／ＡＴは、ＩＭＳネットワークに、ＩＭＳドメインを離脱中であり、１ｘに移動中であることを通知するために、ＳＩＰ  ＮＯＴＩＦＹ（二重化登録がサポートされている場合）またはＳＩＰ  ＢＹＥを送信する。別の方法としては、ＡＴは、Ａ２１を通してＨＲＰＤ  ＲＡＮに転送される９０８（１ｘＤＢＭ内に入っているＤＯＳメッセージとして）の後で、１ｘネットワークにＳＩＰ  ＢＹＥまたはＳＩＰ  ＮＯＴＩＦＹを送信することができる。ＨＲＰＤ  ＲＡＮは、ＡＴから受信したＳＩＰメッセージをＰＤＳＮに転送し、ＰＤＳＮは、このメッセージをＩＭＳネットワークに転送する。
【００７１】
９０６．ＭＳ／ＡＴは、１ｘネットワーク上のサービスを受けるためにＨＲＰＤ  ＲＡＮを離脱中であることを示すＨＲＰＤメッセージを送信する。
オプション１：ＨＲＰＤは、ＭＳ／ＡＴセッションを休止状態に移行させ、もはや必要でないＨＲＰＤ  ＲＡＮリソース（ＨＲＰＤトラヒック・チャネル等）を解放する。
【００７２】
オプション２：ＨＲＰＤ  ＲＡＮは、課金等のエア・インタフェースを通してのデータの経路指定をストップし、ＭＳ／ＡＴのセッションを休止状態に移行させる前に（すなわち、ＨＲＰＤトラヒック・チャネルがまだ解放されないうちに）１ｘネットワークからの音声を待機する。
【００７３】
９０７．ＭＳ／ＡＴは、回線音声呼を受け入れるために１ｘネットワークに対してページ応答メッセージで応答する。
９０８．ＭＳ／ＡＴと１ｘネットワークの間で１ｘ回線音声呼が確立される。
【００７４】
９０９．１ｘＲＡＮは、ＭＳ／ＡＴの取得が成功したという表示をＨＲＰＤネットワークに送信する（オプション２）。
９１０．ＨＲＰＤ  ＲＡＮは、ＭＳ／ＡＴパケット・データ・セッションを休止状態に遷移させ、もはや必要ないＲＡＮリソースを解放する。オプション１の場合には、このステップは、９０６の後の任意の時点で行われる。
【００７５】
図１０は、本発明の複数の実施形態によるＨＲＰＤネットワークのクロス・ページ（ＨＲＰＤネットワークはＡ２１をベースとしている）を拒否している１ｘネットワーク内の稼働中のＭＳ／ＡＴを示す例示としての呼の流れ図１０００である。図１０の右端の欄に示す呼の流れの時間ラインについて以下に詳細に説明する。
【００７６】
１００１．ＰＤＳＮは、特定のＭＳ／ＡＴおよび休止状態のパケット・データ・セッションに関連する現在のＰＰＰ接続によりＨＲＰＤ  ＡＮ／ＰＣＦにパケット・データを送信する。
【００７７】
１００２．ＨＲＰＤ  ＡＮ／ＰＣＦは、ＭＳ／ＡＴが１ｘＲＡＮ内に現在登録されていることに気が付き、Ａ２１インタフェースを介して１ｘＢＳに１ｘネットワーク内のＭＳ／ＡＴをページングするために要求を転送する。このメッセージは、メッセージ内にＨＲＰＤサービス・オプションを含む。
【００７８】
１００３．ＭＳ／ＡＴは、現在他の呼を受け付けているので、１ｘＢＳは、「０００１１１」にセットされているバースト・タイプ・フィールドで、トラヒック・チャネルを通してＭＳ／ＡＴに１ｘデータ・バースト・メッセージ（ＤＢＭ）を送信する。
【００７９】
１００４．ＭＳ／ＡＴは、１ｘＢＳに１ｘＭＳ拒否命令を送信することにより、サービスに対するＨＲＰＤページを拒否する。
１００５．１ｘＢＳは、層２ａｃｋで１ｘＭＳ拒否命令の受信を肯定応答する。  １００６．１ｘＢＳは、ＭＳ／ＡＴがＨＲＰＤ  ＡＮ／ＰＣＦへのＨＲＰＤページ要求を拒否したという表示を含むＡ２１ページング応答メッセージを送信する。ＨＲＰＤ  ＡＮ／ＰＣＦは、ある期間（一定の時間またはＭＳ／ＡＴが１ｘネットワーク内でアイドル状態になるまで）ＭＳ／ＡＴの他のページングを破棄する。
【００８０】
図１１は、本発明の複数の実施形態によるＨＲＰＤネットワークのクロス・ページ（ＨＲＰＤネットワークはＭＳＣをベースとしている）を拒否している１ｘネットワーク内の稼働中のＭＳ／ＡＴを示す例示としての呼の流れ図１１００である。図１１の右端の欄に示す呼の流れの時間ラインについて以下に詳細に説明する。
【００８１】
１１０１．ＰＤＳＮは、特定のＭＳ／ＡＴおよび休止状態のパケット・データ・セッションに関連する現在のＰＰＰ接続により、ＨＲＰＤ  ＡＮ／ＰＣＦにパケット・データを送信する。
【００８２】
１１０２．販売業者の特定の手順（例えば、ＭＳ／ＡＴが１ｘシステムに登録したことを示す記憶している情報）に基づいて、ＨＲＰＤ  ＡＮは、パケット・データをＭＳＣへのＨＲＰＤシステムのところで受信することを示すＢＳサービス要求メッセージを送信し、タイマＴ３１１を開始する。このメッセージはタイプ７のデータ・バーストを含む（Ｃ．Ｓ００７５−０参照）。
【００８３】
１１０３．ＭＳＣは、ＢＳサービス応答メッセージで応答する。ＨＲＰＤ  ＡＮは、タイマＴ３１１をストップする。
１１０４．ＢＳサービス要求メッセージを受信したり、トラヒック・チャネル上にＭＳ／ＡＴが位置すると、ＭＳＣをトリガして、１ｘＢＳにＡＤＤＳ配信メッセージを送信させる。ＭＳＣはタイマＴ３１１３を開始する。
【００８４】
１１０５．１ｘＢＳは、順方向トラヒック・チャネルを通して１１０４のところで受信したデータ・バーストを送信する。
１１０６．ＭＳ／ＡＴは、層２Ａｃｋでトラヒック・チャネル上のデータ・バーストの配信を肯定応答する。
【００８５】
１１０７．ＭＳＣがＡＤＤＳ配信メッセージ内にタグＩＥを挿入することにより応答を要求した場合には、１ｘＢＳは、メッセージが配信されたＭＳ／ＡＴから肯定応答を受信した場合には、ＡＤＤＳ配信メッセージ内に同じタグＩＥを含むＡＤＤＳ配信Ａｃｋメッセージで応答する。
【００８６】
１１０８．ＭＳ／ＡＴは、１ｘＢＳに１ｘＭＳ拒否命令を送信することにより、サービスに対するＨＲＰＤページを拒否する。
１１０９．１ｘＢＳは、層２Ａｃｋで１ｘＭＳ拒否命令の受信を肯定応答する。
【００８７】
１１１０．ＢＳは、拒否命令が内蔵する情報を送るためにＭＳＣに拒否メッセージを送信する。
１１１１．ＭＳＣは、ＨＲＰＤ  ＡＮ／ＰＣＦに拒否メッセージを転送する。ＨＲＰＤ  ＡＮ／ＰＣＦは、ある期間（一定の時間またはＭＳ／ＡＴが１ｘネットワーク内でアイドル状態になるまで）ＭＳ／ＡＴの他のページングを破棄する。
【００８８】
上記詳細な、場合によっては非常に特殊な説明は、効果的に当業者が業界で周知のものにより本発明を製造し、使用し、最善の方法で実行できるようにするためのものである。上記例における、特定のアーキテクチャ、特定のメッセージ名、特定のメッセージ・フィールド値、特定のメッセージ送信フォーマット、および特定のメッセージング・シーケンスは、すべて本発明の可能な実施形態を説明するためのものであって、広義の発明のコンセプトの範囲を制限または限定するものと解釈すべきではない。本発明の特定の実施形態を参照しながら利益、他の利点および問題の解決方法について説明してきた。しかし、利益、利点、問題の解決方法、およびこのような利益、利点または問題の解決方法をもたらし、またはこのような利益、利点または問題の解決方法をより顕著なものにする任意の要素は、請求項のいずれかまたはすべての重要な、必要なまたは本質的な機能または要素であると解釈すべきではない。
【００８９】
本明細書および添付の特許請求の範囲内で使用する場合、「備える」、「備えている」という用語、またはその任意の他の派生語は、要素のリストを備えるプロセス、方法、製造品または装置が、リストに記載されているこれらの要素を含むばかりでなく、リストに明示されていないか、またはこのようなプロセス、方法、製造品または装置に固有の他の要素を含むことができるように、非排他的な内容を意味することができるようにするためのものである。本明細書で使用する場合、「ａ」または「ａｎ」という用語は、１つ以上を意味する。本明細書で使用する場合、複数という用語は２つ以上を意味する。本明細書で使用する場合、もう１つのという用語は、少なくとも第２のまたはそれ以上を意味する。本明細書で使用する場合、含むおよび／または有するという用語は、備える（すなわち、オープン言語）を意味する。本明細書で使用する場合、結合しているという用語は、接続していることを意味するが、必ずしも直接接続していなくても、また必ずしも機械的に接続していなくてもよい。「表示している」（例えば、「表示する」および「表示」など）という語から由来する用語は、表示されている対象物を連絡したり、言及したりするために使用することができるすべての種々の技術を含む。表示中の対象物を連絡したり、言及したりするために使用することができる技術のすべての例ではないが、いくつかの例としては、表示中の対象物の伝達、表示中の対象物の識別子の伝達、表示中の対象物を発生するために使用する情報の伝達、表示中の対象物のある部分または一部の伝達、表示中の対象物のある派生物の伝達、および表示中の対象物を表すある記号の伝達等がある。本明細書で使用する場合、プログラム、コンピュータ・プログラム、およびコンピュータ命令という用語は、コンピュータ・システム上で実行するように設計された一連の命令を意味する。この一連の命令は、サブルーチン、機能、手順、オブジェクト方法、オブジェクト実施態様、実行可能なアプリケーション、アプレット、サーブレット、共有ライブラリ／動的ロード・ライブラリ、ソース・コード、オブジェクト・コードおよび／またはアセンブリ・コードを含むことができるが、含むことができるものはこれらに限定されない。
【図面の簡単な説明】
【００９０】
【図１】従来技術によるＨＲＰＤシステムにおけるＭＳ／ＡＴに対する１ｘページの配信を示す例示としての呼の流れ図。
【図２】従来技術による能動ＨＲＰＤデータ・セッション中に離脱中のＡＴを示す例示としての呼の流れ図。
【図３】従来技術によるＨＲＰＤシステムにおけるＭＳ／ＡＴに対する１ｘページの配信を示す例示としての呼の流れ図。
【図４】本発明の複数の実施形態によるＨＲＰＤ  ＩＯＳアーキテクチャ基準モデル（ＡＮ内のＳＣ／ＭＭ）のブロック図。
【図５】本発明の複数の実施形態によるＨＲＰＤ  ＩＯＳアーキテクチャ基準モデル（ＰＣＦ内のＳＣ／ＭＭ）のブロック図。
【図６】本発明の複数の実施形態による無線パケット・データ・ネットワークに対してインタフェースとしての働きをする１Ｘネットワークを含む無線通信システムのブロック図。
【図７】本発明の複数の実施形態による１ｘネットワークのクロス・ページを拒否している、Ａ２１ベースのＨＲＰＤネットワーク内のＭＳ／ＡＴを示す例示としての呼の流れ図。
【図８】本発明の複数の実施形態による１ｘネットワークのクロス・ページを拒否しているＭＳＣベースのＨＲＰＤネットワーク内のＭＳ／ＡＴを示す例示としての呼の流れ図。
【図９】本発明の複数の実施形態による１ｘネットワークのクロス・ページを受け入れているＡ２１ベースのＨＲＰＤネットワーク内のＭＳ／ＡＴを示す例示としての呼の流れ図。
【図１０】本発明の複数の実施形態によるＨＲＰＤネットワークのクロス・ページ（ＨＲＰＤネットワークはＡ２１をベースとしている）を拒否している１ｘネットワーク内の稼働中のＭＳ／ＡＴを示す例示としての呼の流れ図。
【図１１】本発明の複数の実施形態によるＨＲＰＤネットワークのクロス・ページ（ＨＲＰＤネットワークはＭＳＣをベースとしている）を拒否している、１ｘネットワーク内の稼働中のＭＳ／ＡＴを示す例示としての呼の流れ図。
【図１】
0004546490.tif 000003
【図２】
0004546490.tif 000004
【図３】
0004546490.tif 000005
【図４】
0004546490.tif 000006
【図５】
0004546490.tif 000007
【図６】
0004546490.tif 000008
【図７】
0004546490.tif 000009
【図８】
0004546490.tif 000010
【図９】
0004546490.tif 000011
【図１０】
0004546490.tif 000012
【図１１】
0004546490.tif 000013